(57)【要約】      （修正有）【課題】落下等による破損を防ぐことができる役物を備える遊技機を提供する。【解決手段】遊技機は、ガラス扉に設けられるベース部材、ベース部材に取り付けられる役物、役物がベース部材から取り外されることを防止する抜け防止装置を備える。ベース部材は、役物をベース部材に導入する導入部、役物を所定位置で固定する固定部、役物を導入部から固定部までスライド自在に案内するガイド部を有し、役物は、ガイド部と係合してスライド自在に保持される係合部を有する。抜け防止装置１１０は、役物の係合部が導入部から取り外されるのを阻止するストッパ部１１５を有し、ストッパ部１１５は、常態において役物の係合部が導入部から取り外されることを阻止する位置（Ｓ１）に保持され、外力を受けた場合に阻止位置から異なる２つの方向Ｃ１、Ｃ２の何れかに変位して導入部を開放する。【選択図】図１９
2014198063.tif 000002
【特許請求の範囲】
【請求項１】
機体と、この機体に開閉自在に設けられる前扉と、この前扉に設けられるベース部材と、このベース部材に取り付けられる役物と、この役物が前記ベース部材から取り外されることを防止する抜け防止装置と、を備える遊技機であって、
前記ベース部材は、前記役物を前記ベース部材に導入するための導入部と、前記役物を所定位置で固定する固定部と、前記導入部から導入された前記役物を前記固定部までスライド自在に案内するガイド部と、を有し、
前記役物は、前記ガイド部と係合してスライド自在に保持される係合部を有し、
前記抜け防止装置は、前記導入部またはその近傍に位置して、前記役物の係合部が前記導入部から取り外されるのを阻止するストッパ部を有し、
前記ストッパ部は、常態において前記役物の係合部が前記導入部から取り外されることを阻止する阻止位置に保持され、外力を受けた場合に前記阻止位置から異なる２つの方向の何れかに変位して前記導入部を開放する
ことを特徴とする遊技機。
【請求項２】
請求項１において、
前記２つの方向は、互いに逆向きである
ことを特徴とする遊技機。
【請求項３】
請求項１または２において、
前記ガイド部は、一対のレール部材から成り、
前記係合部は、前記一対のレール部材に摺動可能に挿入される一対のスライド小片から成り、
前記ストッパ部は、可撓性材料から成り、
前記スライド小片が前記異なる２つの方向の何れかに向けて前記ストッパ部を押圧することにより、前記ストッパ部はその押圧による外力で撓んで前記導入部が開放され、
前記導入部が開放されることにより、前記スライド小片は前記導入部から前記レール部材に挿入される
ことを特徴とする遊技機。
【発明の詳細な説明】
【技術分野】
【０００１】
本発明は、パチンコ機やスロットマシン等に代表される遊技機に関し、特に遊技機の役物に関する。
【背景技術】
【０００２】
遊技機の代表例であるパチンコ機は、遊技場の島設備に設置される縦長方形状の機枠と、この機枠に扉状に開閉自在に取り付けられた本体枠と、この本体枠の内側に収容される遊技盤と、本体枠の前面に扉状に開閉自在に取り付けられると共に遊技盤を視認可能に覆うガラス扉と、を具備している。このガラス扉の上部および左右の側部には様々な役物が設けられている。
【０００３】
役物の一例として、特許文献１には、遊技盤の上側の延出部（ガラス扉の上部）に取り付けられている回転灯装置が開示されている。この回転灯装置には光源が設けられており、演出内容に応じて光源が発光することにより、演出効果を高めている。
【先行技術文献】
【特許文献】
【０００４】
【特許文献１】特開２０１１−１１５２１０号公報
【発明の概要】
【発明が解決しようとする課題】
【０００５】
特許文献１は、回転灯装置が延出部にネジのみで固定される構造であるので、何らかの理由でネジが外れると、回転灯装置が落下して破損する可能性がある。また、回転灯装置を延出部から取り外すためには、片手で回転灯装置を抑えながら片手でドライバー等の工具を用いてネジを取り外す等の工夫が必要なため、回転灯装置を取り外す作業が大変であり、作業中に誤って回転灯装置を落下させて破損させる可能性がある。このように、特許文献１の回転灯装置は、落下により破損してしまう可能性があるという課題がある。
【０００６】
本発明は、上記した実情に鑑みてなされたものであり、その目的は、落下による破損を防ぐことができる役物を備える遊技機を提供することにある。
【課題を解決するための手段】
【０００７】
上記目的を達成するために、本発明は、機体と、この機体に開閉自在に設けられる前扉と、この前扉に設けられるベース部材と、このベース部材に取り付けられる役物と、この役物が前記ベース部材から取り外されることを防止する抜け防止装置と、を備える遊技機であって、前記ベース部材は、前記役物を前記ベース部材に導入するための導入部と、前記役物を所定位置で固定する固定部と、前記導入部から導入された前記役物を前記固定部までスライド自在に案内するガイド部と、を有し、前記役物は、前記ガイド部と係合してスライド自在に保持される係合部を有し、前記抜け防止装置は、前記導入部またはその近傍に位置して、前記役物の係合部が前記導入部から取り外されるのを阻止するストッパ部を有し、前記ストッパ部は、常態において前記役物の係合部が前記導入部から取り外されることを阻止する阻止位置に保持され、外力を受けた場合に前記阻止位置から異なる２つの方向の何れかに変位して前記導入部を開放することを特徴としている。
【０００８】
本発明によると、ストッパ部は、常態において阻止位置に保持されている。このため、所定位置で固定された役物が何らかの理由で固定解除された場合であっても、ストッパ部は、役物がベース部材から取り外されることを阻止する。これにより、本発明は、役物が落下によって破損することを防止できる。
【０００９】
役物の係合部がベース部材の導入部から取り外されるための進入経路を確保しづらいと、作業者は役物の取り外しが大変となるだけでなく、役物の脱着時に役物を落下させて破損させてしまう可能性がある。本発明によると、外力を受けたストッパ部は、阻止位置から異なる２つの方向の何れかに変位する。外力を受けたストッパ部が阻止位置から１つの方向にしか変位しない場合よりも、異なる２つの方向に変位できる場合の方が、役物の係合部がベース部材の導入部から取り外されるための進入経路を確保しやすい。このため、本発明は、役物の取り外しが比較的容易となり、役物が落下して破損することを防止することができる。
【００１０】
また、このようにすると、異なる２つの方向のうち作業者が要望する方向へストッパ部を変位させて、役物を取り外すことができるため、外力を受けたストッパ部が阻止位置から１つの方向にしか変位しない場合よりも汎用性がある。
【００１１】
また、本発明は、上記構成において、前記２つの方向は、互いに逆向きであることを特徴とするものであってもよい。
【００１２】
本発明によると、異なる２つの方向は互いに逆向きであるため、異なる２つの方向のうち一方から他方にストッパ部を変位させるためにストッパ部に加える外力は同一の方向で足りる。異なる２つの方向が互いに逆向きでない場合には、ストッパ部を異なる２つの方向のうち一方から他方に変位させるために、ストッパ部に加える外力が同一の方向で足りない場合がある。この場合には、２つの方向が互いに逆向きである場合よりも、ストッパ部を変位させることが比較的困難となる。このため、本発明は、２つの方向が逆向きでない場合よりも、役物の脱着が容易となる場合がある。
【００１３】
また、本発明は、上記構成において、前記ガイド部は、一対のレール部材から成り、前記係合部は、前記一対のレール部材に摺動可能に挿入される一対のスライド小片から成り、前記ストッパ部は、可撓性材料から成り、前記スライド小片が前記異なる２つの方向の何れかに向けて前記ストッパ部を押圧することにより、前記ストッパ部はその押圧による外力で撓んで前記導入部が開放され、前記導入部が開放されることにより、前記スライド小片は前記導入部から前記レール部材に挿入されることを特徴とするものであってもよい。
【００１４】
本発明によると、スライド小片がストッパ部を押圧することにより導入部が開放される。言い換えると、スライド小片がストッパ部に当たることで役物がベース部材から取り外されることを防止している。また、スライド小片がレール部材に挿入されることで役物が摺動可能となる。つまり、スライド小片は、役物がスライド移動するための機能と役物が抜け落ちることを防止するための機能を兼ねている。このため、本発明は、遊技機の部品（部材）を減らすことができるので、遊技機の製作コストを低減することができる場合がある。
【発明の効果】
【００１５】
本発明によれば、落下等による破損を防ぐことができる役物を備える遊技機を提供することができる。
【図面の簡単な説明】
【００１６】
【図１】本発明の実施の形態例に係るパチンコ機の正面図である。
【図２】図１に示すパチンコ機の外観斜視図である。
【図３】図２に示すサイドパネルの側面図である。
【図４】図２に示すサイドパネルの外観斜視図である。
【図５】図２に示すサイドパネルの分解斜視図である。
【図６】図２に示すサイドパネルのデザインシートを外した状態の正面図である。
【図７】図２に示すサイドパネルのデザインシートを外した状態の外観斜視図である。
【図８】図６に示すサイドパネルの要部拡大図である。
【図９】図２に示すサイドパネルのケースの外観斜視図である。
【図１０】図５に示すサイドパネルの導光板の部分断面図である。
【図１１】図１に示す回転灯ユニットの正面側の外観斜視図である。
【図１２】図１に示す回転灯ユニットの背面側の外観斜視図である。
【図１３】図１に示すガラス扉ベースにスライドベースを取り付けた状態でのガラス扉ベースの正面側の外観斜視図である。
【図１４】図１３に示すスライドベースの拡大斜視図である。
【図１５】図１４に示すスライドベースの要部拡大斜視図である。
【図１６】図１３に示すガラス扉ベースにロック装置、ロックアームおよびストッパアームを取り付けた状態でのガラス扉ベースの背面側の外観斜視図である。
【図１７】図１６に示すロック装置、ロックアームおよびストッパアームの拡大斜視図である。
【図１８】図１７に示すストッパアームの要部拡大斜視図である。
【図１９】図１７に示すストッパアームの変形状態を説明するための図である。
【図２０】図１１に示す回転灯ユニットがスライドベースに取り付けられる過程を示す図である。
【図２１】図１１に示す回転灯ユニットがスライドベースに取り付けられる過程を示す図である。
【図２２】図２１に示すＡ２−Ａ２の断面線に沿った断面図であって、図１６に示すロック装置による固定が解除されている状態を示す図である。
【図２３】図２１に示すＡ２−Ａ２の断面線に沿った断面図であって、図１６に示すロック装置による固定が行われている状態を示す図である。
【図２４】図２０に示すＡ１−Ａ１の断面線に沿った断面図である
【図２５】図２０に示すＡ１−Ａ１の断面線に沿った断面図であって、図１６に示すロックアームが回転灯ユニットを保持している状態を示す図である。
【図２６】図１７に示すストッパアームの変化を示す図である。
【図２７】図１に示す回転灯ユニットが仮固定されている状態を示す図である。
【図２８】図１に示すガラス扉が閉じられることにより図１６に示すロック装置が本体枠に当接する位置を示す図である。
【発明を実施するための形態】
【００１７】
以下、本発明をパチンコ機に採用した場合の実施の形態例について、図面を用いて説明する。なお、以下の説明において、前後、上下、左右の各方向は、何れもパチンコ機の前に着席した遊技者から見た方向を指すものとする。
【００１８】
図１および図２に示すように、本発明の実施の形態例に係るパチンコ機Ｐは、遊技場の島設備に設置される縦長方形状の機枠１と、機枠１に扉状に開閉自在に取り付けられた本体枠（機体）２と、本体枠２の内側に収容される遊技盤（図示せず）と、本体枠２の前面に扉状に開閉自在に取り付けられ、中央に大きく開口部９が形成されたガラス扉（前扉）４と、このガラス扉４の開口部９に取り付けられた透明なガラス板１０と、遊技球を収容する受皿５と、ハンドル７と、を主に備えて構成される。遊技者は、パチンコ機Ｐと対面するように座り、ハンドル７を回して遊技盤に遊技球を発射させることによって、遊技を行うことができる。このとき、遊技者は、ガラス板１０を介して遊技盤を視認可能である。また、図示しないが、遊技盤には、始動口、一般入賞口、スルーチャッカ、風車、釘、ステージ、液晶表示器、可動役物、アタッカー、アウト口などが設けられている。
【００１９】
ガラス扉４は、本体枠２の前側をほぼ全体に亘って覆う構造体であって、左側部が本体枠２と一対のヒンジ１４を介して取り付けられることにより、これら一対のヒンジ１４を中心に前後方向に開閉する。なお、通常、ガラス扉４は施錠装置１３によって閉じられた状態にロックされている。ガラス扉４は、ガラス扉４のベースとなるガラス扉ベース１３０と、上部に設けられる一対のスピーカ６と、上部中央に設けられるランプ役物１１と、上部右角部から左側部の下部にかけて設けられる装飾レンズ１２と、上部右角に設けられる回転灯ユニット（役物）５０と、この回転灯ユニット５０の直下であって右側部に設けられるサイドパネル２０と、を有しており、これらが取り付けられた状態での開閉が可能に構成される。なお、受皿５はガラス扉４の下部に一体的に設けられる。また、符号８は演出用のタッチボタンである。
【００２０】
ランプ役物１１および装飾レンズ１２の内部には、図示しないＬＥＤが複数設けられており、遊技の進行に伴ってＬＥＤの点灯制御を行うことにより、ランプ役物１１や装飾レンズ１２を用いた様々な演出が行われる。また、回転灯ユニット５０は、図示しないが、環状に整列した複数のＬＥＤを有している。各ＬＥＤが整列した順序に点灯と消灯を複数回繰り返すことにより擬似的に回転灯のような演出を行うことができる。例えば、本実施形態では、この回転灯ユニット５０を大当たりの確定的な報知や大当たり遊技中の演出に用いている。
【００２１】
なお、詳しくは後述するが、回転灯ユニット５０は、スライドベース（ベース部材）７０にスライド可能に取り付けができるようになっている。このスライドベース７０は、図１３に示すように、ガラス扉ベース１３０の上部右角に予め設けられている。このため、本実施形態例の回転灯ユニット５０は、ガラス扉４の上部右角で上下方向にスライド自在となっている。そして、回転灯ユニット５０を上方向に少しスライドさせることにより、サイドパネル２０の意匠替え（デザインシート２７，２８の交換）を行うことができる構成となっている。
【００２２】
サイドパネル２０は、図２に示すようにガラス扉４の右側部から前方へ突出するように形成された装飾用の装置であり、奥行きがおよそ１００ｍｍ、厚さがおよそ１０ｍｍ程度、高さがおよそ３００ｍｍ程度の縦長で薄いケース２１と、このケース２１に内装される装飾用の各種部品（図５等参照）とを有して構成される。
【００２３】
ケース２１は、樹脂材料から成る成形部品であり、図９に示すように上方と後方が開放され、断面が略コ字状に形成された構造体であって、その上部に開口２１ａが形成されている。そして、後述するデザインシート２７，２８、導光板２２、ＬＥＤ基板２６等（図４等参照）を前方からケース２１で覆うことにより、図２に示すサイドパネル２０が完成する。なお、ケース２１は透明であり、デザインシート２７，２８に印刷された意匠（後述）を、遊技者等は外側から視認できるようになっている。
【００２４】
また、図２から明らかなように、パチンコ機Ｐの右側部の大半はサイドパネル２０が占めており、隣り合うパチンコ機は、サイドパネル２０によって仕切られた格好となる。即ち、サイドパネル２０は、装飾用に設けられているものであるが、一種の仕切り壁としても機能する。なお、遊技者がパチンコ機Ｐの前に座った状態において、遊技者はサイドパネル２０の左側面を見ることができるが、右側面を見ることは困難である。その一方で、パチンコ機Ｐの周囲を歩いている人にとっては、サイドパネル２０の右側面が際立って見えることになる。
【００２５】
次に、サイドパネル２０の詳細構造について図３〜図８を用いて説明する。サイドパネル２０は、図５等に示すように、導光板２２と、デザインシート２７，２８と、ＬＥＤ基板２６と、シート押え部材３０，３１と、ベース３５と、これらを内装する透明なケース２１（図９参照）と、を備えている。このサイドパネル２０は、起立した状態でパチンコ機Ｐのガラス扉４の右側部に一体的に取り付けられている（図２参照）。
【００２６】
ＬＥＤ基板２６は、図５に示すように、細長い基板であって、その表面に複数のＬＥＤ２５ａ，２５ｂ，・・・から成るＬＥＤ群２５が設けられている。ＬＥＤ基板２６は、ＬＥＤ群２５の光の向きが前方（正面側）を向くようにして、導光板２２の後方に配置される。なお、ＬＥＤ基板２６は、パチンコ機Ｐの遊技と連動してＬＥＤ群２５の点灯制御を行うように構成されており、例えば、スタンバイ中と、通常の遊技中と、大当たり遊技中とで異なる点灯制御を行っている。より具体的には、スタンバイ中は遊技者を惹き付けるために明るく点灯し、通常の遊技中は遊技盤に設けられた液晶表示器での演出との兼ね合いで明るさをやや抑えて点灯し、大当たり遊技中は派手に点灯するといった点灯制御を行っている。
【００２７】
導光板２２は、図３〜図７に示すように、縦長な薄板状に形成され、ＬＥＤ群２５からの光を後面２２ｄの側から受けることにより、左側面２２ａおよび右側面２２ｂが面発光して、デザインシート２７，２８を照らすよう構成される。勿論、前面２２ｃもＬＥＤ群２５の光によって発光する。よって、外観上、サイドパネル２０は、その左側面、右側面、および前面が光って見えることになる。これにより、演出効果が向上する。
【００２８】
さらに、導光板２２の左側面２２ａの表面には無数の溝２４が形成されている。この溝２４の形状を図１０に示す。図１０に示すように、溝２４は断面が略三角形状を成している。この溝２４によって、後方から前方に向かって入射する光が屈折する。その結果、左側面２２ａより右側面２２ｂの方が明るく発光する。即ち、本実施形態では、無数の溝２４によって、サイドパネル２０の左側が暗く、右側が明るく光る構成となっているのである。
【００２９】
左側面２２ａを暗くした理由は、遊技者の興味をなるべく遊技盤に設けられた液晶表示器の画面に集中させるためである。より詳細に言えば、遊技中は液晶表示器に様々な演出が表示されるため、遊技者はその演出に集中したいが、仮にサイドパネル２０の左側面があまりに明るく光っているとすると、遊技者の気が散ってしまい、せっかくの演出に興味を持てなくなってしまうなどの悪影響があるからである。その点、導光板２２の右側面２２ｂは、パチンコ機Ｐを遊技している遊技者にとって視認困難であるため、暗くしなくても良い。このような理由から、導光板２２の左側面２２ａと右側面２２ｂとで明暗を分けるような構成としているのである。
【００３０】
また、図３に示すように、導光板２２の左側面２２ａの下部には次に述べるデザインシート２７の突起２７ｂが入り込むための第１凹部２３ａが設けられ、図４に示すように、導光板２２の右側面２２ｂの下部にはデザインシート２８の突起２８ｂが入り込むための第２凹部２３ｂが設けられている。但し、第１凹部２３ａと第２凹部２３ｂとは位置が前後方向にずれているから、デザインシート２７を導光板２２の右側面２２ｂ側に取り付けようとしても、デザインシート２７の突起２７ｂが第２凹部２３ｂに入らない。同様に、デザインシート２８を導光板２２の左側面２２ａ側に取り付けようとしても、デザインシート２８の突起２８ｂが第１凹部２３ａに入らない。この構成により、デザインシート２７およびデザインシート２８の取付けの間違いを防止することができる。
【００３１】
上記したデザインシート２７は、樹脂製材料から成り、可撓性を有する薄いシート状に形成され、表面にパチンコ機Ｐの機種に関する情報（例えば、当選確率、大当たりのラウンド数、ルールなど）が印刷されている。このデザインシート２７は、図５に示すように、導光板２２の左側面２２ａと対向するように配置される。なお、デザインシート２７の上部には、手指でデザインシート２７を容易に掴むことができるようにするためのツマミ部２７ａが設けられている。また、デザインシート２７の下部には、デザインシート２７の取付けの間違いを防止するための突起２７ｂ（図３参照）が設けられている。
【００３２】
また、デザインシート２８は、樹脂製材料から成り、可撓性を有する薄いシート状に形成されている。さらに、図５に示すように、デザインシート２８の上部には、手指でデザインシート２８を容易に掴むことができるようにするためのツマミ片２８ａが設けられ、その下部にはデザインシート２８の取付けの間違いを防止するための突起２８ｂが設けられる。ただし、デザインシート２８の表面に印刷されるデザインは、デザインシート２７に印刷されるものとは異なっている。具体的には、デザインシート２８は、パチンコ機Ｐのモチーフとなっているキャラクタや機種名等が印刷されている。なお、デザインシート２８は、導光板２２の右側面２２ａと対向するように配置される。
【００３３】
シート押え部材３０は、図３および図５に示すように、デザインシート２７を導光板２２の左側面２２ａに対向した状態に保持するためのものであり、デザインシート２７の高さと略同一なバー３０ａと、このバー３０ａの上端から前方に折れ曲がる係止部３０ｂとにより形成され、デザインシート２７の一方（後側）の側縁部を全体的に押えている。
【００３４】
また、シート押え部材３１は、図４および図５に示すように、デザインシート２８を導光板２２の右側面２２ｂに対向した状態に保持するためのものであり、デザインシート２８の高さと略同一なバー３１ａと、このバー３１ａの上端から前方に折れ曲がる係止部３１ｂとにより形成され、デザインシート２８の一方（後側）の側縁部を全体的に押えている。
【００３５】
ベース３５は、図５に示すように、導光板２２の上方に位置して、ＬＥＤ基板２６およびシート押え部材３０，３１が取り付けられた導光板２２を保持するためのものである。そして、図６および図７に示すように、ベース３５には、デザインシート２７，２８を挿入するための挿入口３７，３８が設けられている。具体的には、立板３６とガイド板４０との間の隙間が挿入口３７となり、ガイド板４０とガイド板４５との間の隙間が挿入口３８となる。なお、デザインシート２７，２８の挿入を容易にするために、ガイド板４０とガイド板４５とは高さ位置を上下方向に少しずらして設けられている。
【００３６】
ガイド板４０には、３つのＲ形状部４１ａ，４１ｂ，４１ｃと、２つの切欠き４２ａ，４２ｂが設けられている。Ｒ形状部４１ｃは、図８に示すように、挿入口３７の一部を上方から覆うように先端が屈曲して形成される。他の２つのＲ形状部４１ａ，４１ｂの形状も同様である。そのため、挿入口３７は、図８に示す通り、Ｒ形状部４１ａ，４１ｂ，４１ｃによって右側が開放された状態となっている。そして、デザインシート２８を右側からガイド板４０に突き当てるようにして差し込むことにより、デザインシート２８は、ガイド板４０のＲ形状部４１ａ，４１ｂ，４１ｃに沿って撓みながら挿入口３７へと案内されるようになっている。
【００３７】
一方、切欠き部４２ｂは、図４に示すように、デザインシート２８のツマミ片２８ａが露呈する程度の深さで切欠かれた凹部として形成される。この切欠き４２ｂが設けられていることにより、ツマミ片２８ａを手指で掴んで容易に引き抜くことができる。なお、切欠き４２ａの形状も同様である。
【００３８】
ここで、Ｒ形状部４１ｃを例に挙げて、Ｒ形状部４１ａ，４１ｂ，４１ｃと挿入口３７との位置関係について説明を補足する。図８に示すように、Ｒ形状部４１ｃは、挿入口３７の幅方向（図８の左右方向）の半分を超える程度の範囲で、上方から挿入口３７を覆うように屈曲している。別言すれば、Ｒ形状部４１ｃの上端部が挿入口３７の上方にせり出している。この構成により、例えば、ゴミ等が挿入口３７に落下することを防止することができる。即ち、Ｒ形状部４１ｃは、デザインシート２８を挿入口３７へ案内する機能だけでなく、挿入口３７にゴミ等が入ることを防止するための屋根としても機能するのである。
【００３９】
また、いったん挿入口３７からケース２１内に挿入されたデザインシート２８は、まっすぐ上方に引き抜こうとしてもＲ形状部４１ｃが邪魔をして容易に外れない。即ち、Ｒ形状部４１ｃは、デザインシート２８が簡単に引き抜かれないようにストッパとしても機能している。
【００４０】
なお、ガイド板４５はガイド板４０と同一部品で構成されている。即ち、３つのＲ形状部４６ａ，４６ｂ，４６ｃの形状と、２つの切欠き４７ａ，４７ｂの形状とは、それぞれガイド板４０のものと同じである。このようにガイド板４０とガイド板４５とを同一部品としたのは部品点数およびコストの削減のためであるが、それぞれを専用に設計しても良い。この場合、１つのガイド板に１つの切欠きを設けておけば十分である。
【００４１】
次に、サイドパネル２０の意匠替えを行う手順について、図２７を用いて説明する。まず、意匠替えを行いたい作業者は、回転灯ユニット５０を図２７に示すように上方にスライドさせる。そうすると、ケース２１の開口２１ａが現われると共に、挿入口３７，３８が露呈される。なお、詳しくは後述するが、図２７に示す回転灯ユニット５０は、スライドベース７０に仮固定されている状態を示している。次に、作業者がデザインシート２７のツマミ片２７ａを手指で掴んで右上方向に引っ張ると、デザインシート２７は、ガイド板４５のＲ形状部４６ａ，４６ｂ，４６ｃによって撓みながら、最終的に挿入口３８から取り出される。デザインシート２８についても同様の手順により挿入口３７から取り出すことができる。
【００４２】
次に、予め用意しておいた新しいデザインシートをサイドパネル２０の右側からガイド板４０，４５に突き当てるようにしながら差し込む。すると、デザインシートは撓みながら挿入口３７，３８に挿入される。そのままデザインシートを押し込んでいくと、最終的には、デザインシートの下部の突起が凹部２３ａ，２３ｂに当接する位置で止まる。挿入口３７から挿入されたデザインシートは、導光板２２の右側面２２ｂに対向する位置に配置され、挿入口３８から挿入されたデザインシートは、導光板２２の左側面２２ａに対向する位置に配置される。
【００４３】
このとき、サイドパネル２０の左側に入れるべきデザインシートを右側に間違って挿入した場合、上述したように、デザインシートの突起が導光板２２の第２凹部２３ｂに正しく入り込まないため、作業者はデザインシートの挿入間違いに気付く（逆の場合も同様である）。そのため、デザインシートの取付けの間違いは起こらない。そして、新しいデザインシートの挿入が完了したら、回転灯ユニット５０を元の位置までスライドさせて固定すれば、デザインシートの交換が完了する。
【００４４】
以上説明したように、本実施形態に係るパチンコ機Ｐによれば、デザインシートを交換するだけでサイドパネル２０の意匠替えを行うことができるため、汎用性が高い。また、デザインシートをサイドパネル２０の右側から挿入できるため、回転灯ユニット５０を完全に取り外す必要がない。よって、作業効率が高まる。
【００４５】
また、サイドパネル２０の左側が明るく光っていると、遊技者が液晶表示器に表示される演出に集中できないという状況も考えられるところ、本実施形態では、導光板２２の表面加工（溝２４）によってサイドパネル２０の左側を右側に比べて暗くなるように工夫しているので、遊技者が遊技中にサイドパネル２０からの光に気を取られることがなくなる。よって、遊技に集中することができる。その一方で、本実施形態において、サイドパネル２０の右側はデザインシート２８に印刷された意匠が際立つように明るく光っているので、遊技を行うか否か迷っているような人々に対して訴求効果を発揮することができる。
【００４６】
このように、本実施形態では、サイドパネル２０の左側面は機種情報等が印刷されたデザインシートを遊技者に見せる目的に使用されるため、演出の邪魔にならないように控え目に発光するようにし、サイドパネル２０の右側面はパチンコ機の周囲の人に対してアピールするような宣伝広告の目的で使用されるため、派手に発光するようにしている。よって、実際に遊技を行っている遊技者と、これから遊技を行おうと思っている者との両者に対して好適な演出を行うことができるのである。
【００４７】
続いて、回転灯ユニット５０について図１１および図１２を用いて説明する。回転灯ユニット５０は、ＬＥＤ基板等（図示せず）が内装され、光による演出を行う飾り部５１と、この飾り部５１を支持する支持部５２と、ハーネス（図示せず）と、を備えて構成されている。
【００４８】
支持部５２は、図１２に示すように、飾り部５１の後側を保持する飾り保持部５３と、この飾り保持部５３の背面に位置するプレート５４と、スライド小片５５ａ〜ｄと、第１凸部５６と、第２凸部５７と、ロック穴５８と、第１突起５９と、穴６３と、を備えて構成されている。
【００４９】
スライド小片５５ａは、プレート５４の右側縁に沿うようにして、プレート５４の上端から略中央にかけて設けられた小片であって、後述するレール７２ａ（図１４参照）内で摺接する部材である。スライド小片５５ａは、プレート５４の表面から垂直に起立して外方（右側）に折れ曲がるように形成されている。より詳しく言うと、スライド小片５５ａは、断面略Ｌ字状の部材を逆さにして取り付けたような形状を成す。一方、スライド小片５５ｂは、スライド小片５５ａと同じ形状であって、鉛直軸を中心にして鏡像対称となるようにプレート５４の左側縁に設けられる。即ち、スライド小片５５ａとスライド小片５５ｂとは対を成している。
【００５０】
スライド小片５５ｃは、プレート５４の右側縁に沿うようにして、プレート５４の下端に設けられた小片であって、後述するレール７２ｃ（図１４参照）内で摺接する部材である。スライド小片５５ｃは、スライド小片５５ａと同様に、プレート５４の表面から垂直に起立して外方（右側）に折れ曲がるように形成され、断面略Ｌ字状の部材を逆さにして取り付けたような形状を成す。なお、スライド小片５５ｃのプレート５４の表面から垂直に起立するまでの高さは、スライド小片５５ａのプレート５４の表面から垂直に起立するまでの高さよりも、少し高くなっている。一方、スライド小片５５ｄは、プレート５４の左側縁に沿うようにして、プレート５４の下端に設けられた小片であって、後述するレール７２ｄ（図１４参照）内で摺接する部材である。スライド小片５５ｄは、スライド小片５５ｂと同様に、プレート５４の表面から垂直に起立して外方（左側）に折れ曲がるように形成され、断面略Ｌ字状の部材を逆さにして取り付けたような形状を成す。スライド小片５５ｄは、スライド小片５５ｃと鉛直軸を中心にして対称となるような位置に設けられ、スライド小片５５ｃと対を成している。
【００５１】
第１凸部５６は、プレート５４の上端部中央に設けられ、下側が開放された中空の箱型形状に形成され、その内部が第１開口部６０となっている（図２５参照）。また、第２凸部５７は、プレート５４の下端部中央から下方向へ突出するように形成されている。なお、第１開口部６０は、後述するスライドベース７０の第３凸部７３と係合するためのものであり、第２凸部５７は、後述するスライドベース７０の第３開口部７５と係合するためのものである。
【００５２】
ロック穴５８は、プレート５４の下部左側に設けられ、横長方形状に形成されている。このロック穴５８の周縁は突条５８ａで縁取られている。また、第１突起５９は、ロック穴５８の下側に突条５８ａと一体的に設けられると共に、プレート５４の後方に突出するように形成されている。なお、この第１突起５９は、後述するロックアーム１００の第２突起１０４と係合するためのものである（図２５参照）。
【００５３】
穴６３は、プレート５４の略中央部に設けられ、横長方形状に形成されている。穴６３は、回転灯ユニット５０が備えるハーネス（図示せず）を排出するためのものである。
【００５４】
次に、回転灯ユニット５０を取り付けるためのスライドベース７０について図１３〜１５を用いて説明する。スライドベース７０は、回転灯ユニット５０が摺動する平滑な摺動面７１ａが形成されたベース板７１と、レール７２ａ〜ｄと、第３凸部７３と、第４凸部７４と、第３開口部７５と、穴７６〜穴７９と、を備えて構成され、ガラス扉ベース１３０の上部右角に取り付けられている。
【００５５】
レール７２ａは、スライドベース７０の右側縁に沿うようにして、スライドベース７０の上端から略中央手前にかけて設けられた部材であって、摺動面７１ａから垂直に起立して内側（左側）に折れ曲がるように形成されている。より詳しく言うと、レール７２ａは、断面略Ｌ字状の部材を逆さにして取り付けたような形状を成す。一方、レール７２ｂは、レール７２ａと同じ形状であって、鉛直軸を中心にして鏡像対称となるようにスライドベース７０の左側縁に設けられる。即ち、レール７２ａとレール７２ｂとは対を成している。
【００５６】
レール７２ｃは、レール７２ａと同様に、スライドベース７０の右側縁に沿うようにして、スライドベース７０の略中央から下端にかけて設けられた部材であって、摺動面７１ａから垂直に起立して内側（左側）に折れ曲がるように形成され、断面略Ｌ字状の部材を逆さにして取り付けたような形状を成す。一方、レール７２ｄは、レール７２ｃと同じ形状であって、鏡像対称となるようにスライドベース７０の左側縁に設けられ、レール７２ｃと対を成している。
【００５７】
レール７２ｄについてより詳しく言うと、レール７２ｄは、図１５に示すように、摺動面７１ａから垂直に起立した壁８０と、この壁８０と直角に取り付けられた壁８１とにより構成され、壁８０と壁８１とベース板７１との間に空間８２が形成される。この空間８２は、上述したスライド小片５５ｄがスライド移動するためのものである。そして、レール７２ｄの上端部に設けられた開口部分が、スライド小片５５ｄを空間８２へ導入するための入口８３ｄである。また、レール７２ｄと同様に、レール７２ａの上端部には、スライド小片５５ａを導入するための入口８３ａが、レール７２ｂの上端部には、スライド小片５５ｂを導入するための入口８３ｂが、レール７２ｃの上端部には、スライド小片５５ｃを導入するための入口８３ｃが、それぞれ設けられている（図１４）。なお、本実施形態例における「入口８３ｄ」が本発明の「導入部」に相当し、本実施形態例における「レール７２ｄ」が本発明の「ガイド部」に相当する。また、本実施形態例における「スライド小片５５ｄ」が本発明の「係合部」に相当する。
【００５８】
第３凸部７３は、図１４に示すように、スライドベース７０の上部中央に形成された切欠きの底面から、上方へ突出するように形成されている。また、第４凸部７４は、スライドベース７０の下部中央の位置に、前方へ突出するように形成されており、第４凸部７４には、上方が開放された第３開口部７５が設けられている。
【００５９】
穴７９は、スライドベース７０の右側の上部から中央部にかけて設けられ、縦長方形状に形成されている。穴７９は、回転灯ユニット５０の穴６３から引き出されたハーネスをパチンコ機Ｐに備えられた電子回路に導くためのものである。
【００６０】
回転灯ユニット５０のプレート５４の面とスライドベース７０の摺動面７１ａとを対峙させて、スライド小片５５ａ〜ｄがレール７２ａ〜ｄに設けられた入口８３ａ〜８３ｄから導入（挿入）されると、スライド小片５５ａ〜ｄがレール７２ａ〜ｄの各空間に沿って下方向へスライド（摺動）可能となる。この回転灯ユニット５０のスライド小片５５ｄがレール７２ｄの入口８３ｄに挿入される位置のことを、以下の説明において、「挿入位置」と言うことにする。なお、本実施形態例における「スライド小片５５ｃ」および「スライド小片５５ｄ」が、本発明の「１対のスライド小片」に相当し、本実施形態例における「レール７２ｃ」および「レール７２ｄ」が、本発明の「１対のレール部材」に相当する。
【００６１】
なお、詳しくは後述するが、図１５に示すように、入口８３ｄのすぐ上にはブロック（ストッパ部）１１５が入口８３ｄを塞ぐように出現しており、ブロック１１５を前方または後方に動かして入口８３ｄを開放しなければ、スライド小片５５ｄをレール７２ｄに挿入することができないようになっている。
【００６２】
入口８３ａ〜８３ｄから挿入されたスライド小片５５ａ〜ｄが下方向へスライドして、スライド小片５５ｄの下端部６２がレール７２ｄの下端部８４とほぼ同じ位置に到達すると（図１２および図１５参照）、回転灯ユニット５０の第１開口部６０とスライドベース７０の第３凸部７３とが係合し、回転灯ユニット５０の第２凸部５７とスライドベース７０の第３開口部７５とが係合する（図２２参照）。これにより、回転灯ユニット５０の位置決めが行われ、回転灯ユニット５０が前後方向および左右方向に固定される。この回転灯ユニット５０が前後方向および左右方向に固定される位置のことを、以下の説明において、「本固定位置Ｈ２」と言うことにする。なお、本実施形態例の「第３凸部７３」、「第３開口部７５」が本発明の「固定部」に相当し、本実施形態例の「本固定位置Ｈ２」が本発明の「所定位置」に相当する。
【００６３】
なお、図２０〜図２６は、回転灯ユニット５０がスライドベース７０に取り付けられる状態をより分かりやすくするために、回転灯ユニット５０の飾り部５１等を省略し、プレート５４とプレート５４に設けられている部材のみを記載している。
【００６４】
次に、回転灯ユニット５０をスライドベース７０に上下方向で固定するロック装置９０について、図１６、図１７および図２２を用いて説明する。なお、図１６および図１７は、ガラス扉ベース１３０の背面を示した図である。
【００６５】
ロック装置９０は、樹脂製材料から成り、筒状ケース９１と、ロックバー９２と、ヘッド９３と、を備えて構成されており、スライドベース７０の背面に設けられている。
【００６６】
筒状ケース９１は、図２２に示すように、スライドベース７０の摺動面７１ａに対し垂直になるように設けられると共に、スライドベース７０の穴７６の後側に設けられている。ロックバー９２は、筒状ケース９１の内側をスライド自在となるように筒状ケース９１内に設けられ、直方体状に形成されている。ヘッド９３は、ロックバー９２の後端に取り付けられている。ヘッド９３の後端は、略四角形状に形成されており、作業者が手で押したり引いたりしやすい形状となっている。なお、ロックバー９２は筒状ケース９１から抜け落ちないようになっている。
【００６７】
図２２に示すように、回転灯ユニット５０が本固定位置Ｈ２で位置決めされた状態で、ヘッド９３が前側に押されると、ロックバー９２の先端がロック穴５８に入り込む。ロックバー９２は、ロック穴５８に入り込んでからヘッド９３が筒状ケース９１の後端９１ａに当たるまで前側に移動する。これにより、回転灯ユニット５０が上下方向で固定される（図２３参照）。一方、回転灯ユニット５０が上下方向で固定された状態でヘッド９３が後側に引かれると、ロックバー９２がロック穴５８から抜ける。これにより、回転灯ユニット５０の上下方向の固定が解除される。ロックバー９２が前側に移動してロック穴５８に入りこんだ状態におけるヘッド９３の位置のことを以下の説明においてロック位置Ｋ１と言うことにし、ロックバー９２が後側に移動してロック穴５８から抜けた状態におけるヘッド９３の位置のことをロック解除位置Ｋ２と言うことにする。このように、ロック装置９０は、作業者がヘッド９３をつまんで前後に押し引きすることで、ロックバー９２が前後方向に選択的に移動するのである。
【００６８】
次に、回転灯ユニット５０をスライドベース７０に仮固定するロックアーム１００について、図１６、図１７および図２４を用いて説明する。ロックアーム１００は、樹脂製材料から成り、板状のアーム本体１０１と、ノック部１０２と、を備えて構成されている。ロックアーム１００は、ロック装置９０の上側に位置するようにスライドベース７０の背面に設けられている。
【００６９】
ノック部１０２は、図１７および図２４に示すように、略直方体状のノック本体１０３と第２突起１０４とを有し、アーム本体１０１の上部中央から前側に突出して設けられている。第２突起１０４はノック本体１０３の前端に設けられ、前方へ突出するように形成されている。
【００７０】
第２突起１０４は、図１４および図２４に示すように、常態では、スライドベース７０の穴７８から所定量だけ飛び出した位置（以下、この位置を保持位置Ｒと言う）にある。この保持位置Ｒにある第２突起１０４に所定以上の外力が前側から加えられると、可撓性を有するアーム本体１０１が後方に撓んで第２突起１０４が後側に移動する。一方、第２突起１０４に外力が与えられなくなると、撓んだアーム本体１０１が元の位置に戻って、第２突起１０４が保持位置Ｒに移動する。
【００７１】
回転灯ユニット５０が挿入位置Ｈ１から下方向にスライド移動してくると、挿入位置Ｈ１と本固定位置Ｈ２との間で、回転灯ユニット５０の第１突起５９とロックアーム１００の第２突起１０４が係合し、第２突起１０４が第１突起５９を上側に保持する。これにより、回転灯ユニット５０がスライドベース７０に仮固定される（図２５参照）。この状態において、回転灯ユニット５０をさらに押し下げると、ロックアーム１００の第２突起１０４は回転灯ユニット５０の第１突起５９を介して外力を受けるため、ロックアーム１００のノック部１０２は後方に撓む。すると、第１突起５９と第２突起１０４との係合が解かれ、回転灯ユニット５０が仮固定されている位置より下方向にスライド可能となる。なお、回転灯ユニット５０がスライドベース７０に仮固定される位置を以下の説明において、単に「仮固定位置Ｈ３」と言うことにする。
【００７２】
次に、スライドベース７０から回転灯ユニット５０が抜き取られることを阻止するストッパアーム１１０について、図１６〜図１９を用いて説明する。ストッパアーム１１０は、樹脂製材料（可撓性材料）から成り、縦長方形の板状のネック部１１１と、ヘッド部１１２と、を備えて構成されている。ストッパアーム１１０は、ロックアーム１００の右側に位置するように、スライドベース７０の背面に設けられている。
【００７３】
ヘッド部１１２は、図１８に示すように、前後に長い略直方体状の基板１１３と、リブ１１４ａ〜ｂと、ブロック１１５、とを備えて構成されており、ネック部１１１の上端に設けられている。
【００７４】
リブ１１４ａは、基板１１３の上側面の右側縁に沿うようにして、基板１１３の前端から略中央にかけて設けられている。ヘッドリブ１１４ａは、左右側面から見た形状が略台形状を横にしたような形状に形成されている。一方、リブ１１４ｂは、リブ１１４ａと同じ形状であって、リブ１１４ａと平行になるように基板１１３の左側縁に配置されている。
【００７５】
ブロック１１５は、基板１１３、リブ１１４ａおよびリブ１１４ｂの前面に設けられ、多角形状で前後方向への厚さが２ミリ程度の板状に形成されている。ブロック１１５は、図１４に示すように、常態では、スライドベース７０の穴７７から前方へ飛び出した阻止位置Ｓ１にある。
【００７６】
ここで、図１９に示すように、前側からブロック１１５に所定以上の外力が加えられると、可撓性を有するネック部１１１が根元部分を支点にして後側に撓んで、ヘッド部１１２が後側に移動する。これにより、ブロック１１５がＣ１方向に移動して、ブロック１１５の位置が阻止位置Ｓ１から第１退避位置Ｓ２に変位する。同様に、後側からブロック１１５に所定以上の外力が加えられると、可撓性を有するネック部１１１が根元部分を支点にして前側に撓み、ブロック１１５がＣ２方向に移動して、ブロック１１５の位置が阻止位置Ｓ１から第２退避位置Ｓ３に変位する。前側または後側からブロック１１５に外力が与えられなくなると、ネック部１１１が元の位置に戻り、ブロック１１５が第１退避位置Ｓ２または第２退避位置Ｓ３から阻止位置Ｓ１に移動する。
【００７７】
回転灯ユニット５０が本固定位置Ｈ２または仮固定位置Ｈ３から上方にスライド移動してきて、スライド小片５５ｄの上端部６１が入口８３ｄから飛び出してくると、上端部６１が阻止位置Ｓ１に位置するブロック１１５に当接する（図２６（１））。即ち、ブロック１１５は、常態では、回転灯ユニット５０のスライド経路上に保持されている。このため、ストッパアーム１１０は、本固定位置Ｈ２等から上方にスライド移動してきた回転灯ユニット５０がスライドベース７０から抜けることを防止（取り外されることを阻止）する。スライド小片５５ｄの上端部６１がブロック１１５に当接する位置のことを、以下の説明において、「当接位置Ｈ４」と言うことにする。
【００７８】
また、ブロック１１５が第１退避位置Ｓ２または第２退避位置Ｓ３に移動している状態、即ち、阻止位置Ｓ１に位置するブロック１１５が外力を受けて入口８３ｄを開放している状態で、回転灯ユニット５０を当接位置Ｈ４より上方向にスライドさせると、回転灯ユニット５０がスライドベース７０から抜き取られる。
【００７９】
なお、本実施形態例の「ストッパアーム１１０」が本発明の「抜け防止装置」に相当し、本実施形態例の「ブロック１１５」が本発明の「ストッパ部」に相当する。また、本実施形態例の「Ｃ１方向」および「Ｃ２方向」が本発明の「異なる２つの方向」に相当する。
【００８０】
本実施形態例では、図１６および図１７に示すように、ロック装置９０、ロックアーム１００およびストッパアーム１１０がスライドベース７０の背面に複数のビス（図示せず）によって留め付けられている。これにより、スライドベース７０とロック装置９０等とは一体となる。
【００８１】
また、本実施形態例では、ロックアーム１００とストッパアーム１１０とは一体成形されているので、ロックアーム１００とストッパアーム１１０とが一体成形されていない場合よりも、部品数が少なくて済む。このため、本実施形態例のパチンコ機Ｐは、製作コストを低減することができる場合がある。なお、ロックアーム１００とストッパアーム１１０とが別々の部品で構成されていても良い。
【００８２】
なお、本実施形態例では、回転灯ユニット５０が当接位置Ｈ４と本固定位置Ｈ２との間を上下方向にスライド移動しても、回転灯ユニット５０に繋がるハーネスが破損しないように、穴６３と穴７９の位置および形状が定められている。
【００８３】
次に、回転灯ユニット５０の脱着方法について、図２０〜図２７を参照しながら説明する。なお、図２２および図２３は、図２１に示すＡ２−Ａ２の断面線に沿った断面図であり、図２４および図２５は、図２０に示すＡ１−Ａ１の断面線に沿った断面図である。また、図２６（１）〜（３）は、ストッパアーム１１０のネック部１１１が撓んで変形する経過を示した図である。
【００８４】
回転灯ユニット５０のスライド小片５５ｄの下端部６３をブロック１１５に押し当てブロック１１５に所定以上の外力を加えると、図２６（３）に示すように、ネック部１１１が後側に撓んで、ブロック１１５が第１退避位置Ｓ２に移動する。ブロック１１５が第１退避位置Ｓ２に移動している状態で、スライド小片５５ａ〜ｄをレール７２ａ〜ｄに設けられた入口８３ａ〜８３ｄに挿入する。そうすると、回転灯ユニット５０がスライドベース７０の摺動面７１ａでスライド可能となる。
【００８５】
なお、ブロック１１５に外力を加える方法は、上記した方法に限られず、例えば、作業者が手でブロック１１５に所定以上の外力を加えても良い。
【００８６】
本実施形態例では、スライド小片５５ａ〜ｄをレール７２ａ〜ｄに設けられた入口８３ａ〜８３ｄに挿入する（抜き取る）方法として、ブロック１１５を第１退避位置Ｓ２に移動させる方法と、第２退避位置Ｓ３に移動させる方法と、の２通りの方法がある。本実施形態例のパチンコ機Ｐは、作業者が２通りの方法から好きな方法を選択することができるので汎用性がある。
【００８７】
また、図１９に示すように、第１退避位置Ｓ２と第２退避位置Ｓ３は、阻止位置Ｓ１に対して正逆方向の関係にあるため、ブロック１１５を第１退避位置Ｓ２から第２退避位置Ｓ３に移動させるために、ブロック１１５に加える外力が一方向で足りることになる。例えば、第２退避位置Ｓ３が阻止位置Ｓ１の左前側に位置していることにより第１退避位置Ｓ２と第２退避位置Ｓ３とが正逆方向の関係にないとする。このような場合には、ブロック１１５を第１退避位置Ｓ２から第２退避位置Ｓ３に移動させるためには、ブロック１１５を第１退避位置Ｓ２から阻止位置Ｓ１へいったん変位させた後に、あらためて別の方向から外力を加えて阻止位置Ｓ１から第２退避位置Ｓ３へ変位させる必要がある。これと比較すると、本実施形態例のパチンコ機Ｐは、ブロック１１５を第１退避位置Ｓ２と第２退避位置Ｓ３との間で移動させやすいので、回転灯ユニット５０の脱着が比較的容易となる場合がある。
【００８８】
図２２に示すように、回転灯ユニット５０が本固定位置Ｈ２にスライド移動すると、第１開口部６０と第３凸部７３とが係合し、第２凸部５７と第３開口部７５とが係合する。このため、本実施形態例に係るパチンコ機Ｐは、回転灯ユニット５０を本固定位置Ｈ２に固定しやすいので、回転灯ユニット５０の取り付けを円滑に行うことが可能となり、サイドパネル２０のデザインシートの交換等の作業効率を高めることができる。
【００８９】
なお、本固定位置Ｈ２で回転灯ユニット５０の位置決めを行うために、第１開口部６０および第３凸部７３のみを設ける構成であっても良いし、第２凸部５７および第３開口部７５のみを設ける構成であっても良い。また、例えば、第１開口部６０、第３凸部７３、第２凸部５７および第３開口部７５をすべて設けなくても良いし、これらの替わりに、レール７２ａ〜ｄの下端部に適当な障害壁を設けて、この障害壁にスライド小片５５ａ〜ｄが当接することで回転灯ユニット５０の位置決めが行われる構成としても良い。
【００９０】
図２２に示すように、本固定位置Ｈ２でヘッド９３が前側（Ａ方向）に押されると、ロックバー９２がロック穴５８に挿入され、回転灯ユニット５０が上下方向でスライドベース７０に固定される（図２３）。
【００９１】
本実施形態例では、サイドパネル２０のデザインシートの交換等の後、ヘッド９３を前側に押し忘れてしまっても、図２８に示すように、ガラス扉４がＴ２の方向へ移動して閉じられると、ヘッド９３は、本体枠２の当接部Ｔ１に当接して前側に押し出され、回転灯ユニット５０を上下方向で固定するようになっている。このため、本実施形態例に係るパチンコ機Ｐは、回転灯ユニット５０の固定忘れを防止することができる。また、このようにすると、ガラス扉４を閉じる動作によって生じる外力を利用して回転灯ユニット５０を固定できるため、回転灯ユニット５０の固定が楽である。
【００９２】
図２３に示すように、回転灯ユニット５０が上下方向に固定されている状態で、ヘッド９３が後側（Ｂ方向）に引かれ、ロック位置Ｋ１からロック解除位置Ｋ２に移動すると、上下方向の固定が解除され回転灯ユニット５０が上方向にスライド可能となる。
【００９３】
ネジで回転灯ユニット５０をガラス扉ベース１３０に固定する構造であると、ドライバー等の工具を必要とし、回転灯ユニット５０の脱着作業が煩わしい。本実施形態例では、ロックバー９２が前方向に移動して回転灯ユニット５０を固定し、後方向に移動して回転灯ユニット５０の固定を解除するので、回転灯ユニット５０の固定および固定解除が簡単である。
【００９４】
図２４に示すように、回転灯ユニット５０を本固定位置Ｈ２から上方向にスライドさせると、仮固定位置Ｈ３で第１突起５９が第２突起１０４に当接する。作業者が回転灯ユニット５０に前側から所定以上の外力を加えながら上方向にスライドさせると、第２突起１０４に外力が加わる。第２突起１０４に外力が加わると、第２突起１０４が保持位置Ｒから後側に移動し、第１突起５９が第２突起１０４を乗り越える。第１突起５９が第２突起１０４を乗り越えた後、作業者が回転灯ユニット５０から手を離すと、回転灯ユニット５０は仮固定位置Ｈ３で仮固定される（図２５）。
【００９５】
このように、本実施形態例に係るパチンコ機Ｐは、仮固定位置Ｈ３で回転灯ユニット５０を仮固定することができるので、回転灯ユニット５０をスライドベース７０から完全に取り外さなくても、本固定位置Ｈ２の下方に近接するサイドパネル２０のデザインシートの交換行うことができる。よって、本実施形態例に係るパチンコ機Ｐは、デザインシートの交換等の作業効率を高めることができる。
【００９６】
また、回転灯ユニット５０をスライドベース７０から完全に取り外すと、取り外した直後等に回転灯ユニット５０を落として破損させるトラブルを起こす可能性があるが、本実施形態例のパチンコ機Ｐは、回転灯ユニット５０を仮固定させて交換等の作業を行い得るため、トラブルを防止できる。
【００９７】
また、回転灯ユニット５０を片手で支えて、サイドパネル２０の交換を一方の手で行うと、誤って回転灯ユニット５０を下方にスライド落下させてしまい、回転灯ユニット５０とガイド板４０との間に手を挟んでしまう可能性がある。本実施形態例のパチンコ機Ｐは、回転灯ユニット５０を仮固定することができるため、作業中に手を挟む等の事故の発生を防止することができる。
【００９８】
なお、本実施形態例では、第１突起５９が回転灯ユニット５０に設けられ、ロックアーム１００がスライドベース７０と一体となって、第２突起１０４がスライドベース７０に設けられているが、第２突起１０４が回転灯ユニット５０に設けられ、第１突起５９がスライドベース７０に設けられていても良い。
【００９９】
図２６（１）に示すように、回転灯ユニット５０が仮固定位置Ｈ３から当接位置Ｈ４にスライド移動すると、ストッパアーム１１０のブロック１１５は、回転灯ユニット５０のスライド小片５５ｄに当接して、回転灯ユニット５０がスライドベース７０から抜き取られることを阻止する。このため、本実施形態例のパチンコ機Ｐは、デザインシートの交換作業中等に、回転灯ユニット５０がスライドベース７０から抜け落ちて破損したり、回転灯ユニット５０がスライドベース７０から抜け落ちることで回転灯ユニット５０に繋がるハーネスが破損したりすることを防止することができる。
【０１００】
本実施形態例では、スライド小片５５ｄは、回転灯ユニット５０がスライドベース７０の摺動面７１ａでスライドを可能とする機能と、回転灯ユニット５０がスライドベース７０から抜けることを阻止する機能の双方を兼ねているので、部品（部材）数が少なくてすむ。このため、本実施形態例のパチンコ機Ｐは、パチンコ機の製作コストを低減することができる。
【０１０１】
本実施形態例では、樹脂製材料で形成されているネック部１１１が撓むことにより、入口８３ｄを開放する構造となっているが、これに限られず、例えばネック部１１１をバネ等の弾性体に替えて、入口８３ｄを開放する構造であっても良い。また、同様に、本実施形態例では、樹脂製材料で形成されているアーム本体１０１が撓み、第２突起１０４が後方に移動して仮固定を解除する構造となっているが、これに限られず、例えばアーム本体１０１をバネ等の弾性体に替えて、仮固定を解除する構造であっても良い。
【０１０２】
なお、本発明は、パチンコ機に限らず、スロットマシン、その他の遊技機に採用しても良い。
【符号の説明】
【０１０３】
２  本体枠（機体）
４  ガラス扉（前扉）
５０  回転灯ユニット（役物）
５５ｄ  スライド小片（係合部）
７０  スライドベース（ベース部材）
７２ｄ  レール（ガイド部）
７３  第３凸部（固定部）
７５  第３開口部（固定部）
８３ｄ  入口（導入部）
１１０  ストッパアーム（抜け防止装置）
１１５  ブロック（ストッパ部）
Ｈ２  本固定位置（所定位置）
Ｐ  パチンコ機（遊技機）
【図１】
2014198063.tif 000003
【図２】
2014198063.tif 000004
【図３】
2014198063.tif 000005
【図４】
2014198063.tif 000006
【図５】
2014198063.tif 000007
【図６】
2014198063.tif 000008
【図７】
2014198063.tif 000009
【図８】
2014198063.tif 000010
【図９】
2014198063.tif 000011
【図１０】
2014198063.tif 000012
【図１１】
2014198063.tif 000013
【図１２】
2014198063.tif 000014
【図１３】
2014198063.tif 000015
【図１４】
2014198063.tif 000016
【図１５】
2014198063.tif 000017
【図１６】
2014198063.tif 000018
【図１７】
2014198063.tif 000019
【図１８】
2014198063.tif 000020
【図１９】
2014198063.tif 000021
【図２０】
2014198063.tif 000022
【図２１】
2014198063.tif 000023
【図２２】
2014198063.tif 000024
【図２３】
2014198063.tif 000025
【図２４】
2014198063.tif 000026
【図２５】
2014198063.tif 000027
【図２６】
2014198063.tif 000028
【図２７】
2014198063.tif 000029
【図２８】
2014198063.tif 000030